(57)【特許請求の範囲】
【請求項１】
画像データを入力する入力部と、
前記画像データを縮小した複数のサムネイル画像を表示する第１表示部と、
画像挿入領域を含むカレンダー画像を表示する第２表示部と、
前記サムネイル画像の選択を受け付け、選択されたサムネイル画像を、前記第２表示部の前記画像挿入領域に表示させる制御部と、
前記画像挿入領域にサムネイル画像が挿入されたカレンダー画像を印刷するプリンタと、
を備え、
前記第２表示部は、月が異なる複数のカレンダー画像を表示し、
前記制御部は、画像挿入対象月の選択を受け付けると、撮影月が該画像挿入対象月である画像データを縮小したサムネイル画像を前記第１表示部に表示させることを特徴とする画像プリント装置。
【請求項２】
前記制御部は、画像挿入対象月の選択を受け付け、選択されたサムネイル画像を、該画像挿入対象月のカレンダー画像内の画像挿入領域に表示させることを特徴とする請求項１に記載の画像プリント装置。
【請求項３】
画像データを入力する入力部と、
前記画像データを縮小した複数のサムネイル画像を表示する第１表示部と、
画像挿入領域を含むカレンダー画像を表示する第２表示部と、
前記サムネイル画像の選択を受け付け、選択されたサムネイル画像を、前記第２表示部の前記画像挿入領域に表示させる制御部と、
前記画像挿入領域にサムネイル画像が挿入されたカレンダー画像を印刷するプリンタと、
を備え、
前記第１表示部は前記第２表示部よりも下方に設けられ、前記第１表示部は奥側程高位となるように傾斜していることを特徴とする画像プリント装置。
【請求項４】
画像データを入力する入力部と、
前記画像データを縮小した複数のサムネイル画像を表示する第１表示部と、
画像挿入領域を含むカレンダー画像を表示する第２表示部と、
前記サムネイル画像の選択を受け付け、選択されたサムネイル画像を、前記第２表示部の前記画像挿入領域に表示させる制御部と、
前記画像挿入領域にサムネイル画像が挿入されたカレンダー画像のデータを外部へ送信する通信部と、
を備え、
前記第２表示部は、月が異なる複数のカレンダー画像を表示し、
前記制御部は、画像挿入対象月の選択を受け付けると、撮影月が該画像挿入対象月である画像データを縮小したサムネイル画像を前記第１表示部に表示させることを特徴とする注文受付端末。
【請求項５】
画像データを入力する入力部と、
前記画像データを縮小した複数のサムネイル画像を表示する第１表示部と、
画像挿入領域を含むカレンダー画像を表示する第２表示部と、
前記サムネイル画像の選択を受け付け、選択されたサムネイル画像を、前記第２表示部の前記画像挿入領域に表示させる制御部と、
前記画像挿入領域にサムネイル画像が挿入されたカレンダー画像のデータを外部へ送信する通信部と、
を備え、
前記第１表示部は前記第２表示部よりも下方に設けられ、前記第１表示部は奥側程高位となるように傾斜していることを特徴とする注文受付端末。
【発明の詳細な説明】
【技術分野】
【０００１】
本発明は、画像プリント装置及び注文受付端末に関する。
【背景技術】
【０００２】
デジタルカメラやスマートフォン等で撮影した画像のデジタルデータを読み込んでプリント出力する画像プリント装置が様々な場所に設置されている。例えば、利用者は、デジタルカメラで撮影した画像データが記憶された記憶媒体を持参し、記憶媒体内の画像データを画像プリント装置に読み込ませる。画像プリント装置は、記憶媒体から読み込んだ画像データの画像をサムネイル表示し、利用者に提示する。そして、利用者がプリントする画像を選択し、プリント枚数等を指定すると、画像プリント装置は画像をプリント出力する。
【０００３】
また、従来の画像プリント装置は、画像データの編集機能を有しており、画像にスタンプを押したり、画像を縁取るフレームを付けたり、手書き文字の書き込みを行ったりし、編集した画像をプリント出力することができるが、さらに付加価値の高いプリント物を容易な操作で出力可能な画像プリント装置が求められている。
【先行技術文献】
【特許文献】
【０００４】
【特許文献１】特開２０１３−３３４５３号公報
【発明の概要】
【発明が解決しようとする課題】
【０００５】
本発明は、上記従来の実状に鑑みてなされたものであり、複数のプリント物を１組にしたカレンダーを容易な操作で作成できる画像プリント装置、及び容易な操作でカレンダーの作成を注文できる注文受付端末を提供することを課題とする。
【課題を解決するための手段】
【０００６】
本発明の一態様による画像プリント装置は、画像データを入力する入力部と、前記画像データを縮小した複数のサムネイル画像を表示する第１表示部と、画像挿入領域を含むカレンダー画像を表示する第２表示部と、前記サムネイル画像の選択を受け付け、選択されたサムネイル画像を、前記第２表示部の前記画像挿入領域に表示させる制御部と、前記画像挿入領域にサムネイル画像が挿入されたカレンダー画像を印刷するプリンタと、を備えるものである。
【０００７】
本発明の一態様による画像プリント装置において、前記第２表示部は、月が異なる複数のカレンダー画像を表示し、前記制御部は、画像挿入対象月の選択を受け付け、選択されたサムネイル画像を、該画像挿入対象月のカレンダー画像内の画像挿入領域に表示させることが好ましい。
【０００８】
本発明の一態様による画像プリント装置において、前記制御部は、画像挿入対象月の選択を受け付けると、撮影月が該画像挿入対象月である画像データを縮小したサムネイル画像を前記第１表示部に表示させてもよい。
【０００９】
本発明の一態様による注文受付端末は、画像データを入力する入力部と、前記画像データを縮小した複数のサムネイル画像を表示する第１表示部と、画像挿入領域を含むカレンダー画像を表示する第２表示部と、前記サムネイル画像の選択を受け付け、選択されたサムネイル画像を、前記第２表示部の前記画像挿入領域に表示させる制御部と、前記画像挿入領域にサムネイル画像が挿入されたカレンダー画像のデータを外部へ送信する通信部と、を備えるものである。
【発明の効果】
【００１０】
本発明によれば、複数のプリント物を１組にしたカレンダーという付加価値の高い製品を容易な操作で作成できる。
【図面の簡単な説明】
【００１１】
【図１】本発明の実施形態に係る画像プリント装置のブロック構成図である。
【図２】同実施形態に係る画像プリント装置の概略斜視図である。
【図３】同実施形態に係る画像プリント装置の出力物の一例を示す図である。
【図４】（ａ）、（ｂ）はカレンダーフレーム画像の例を示す図である。
【図５】第１タッチパネルのカレンダーパターン選択画面の一例を示す図である。
【図６】第２タッチパネルのカレンダー一覧画面の一例を示す図である。
【図７】第２タッチパネルのカレンダー一覧画面の一例を示す図である。
【図８】第１タッチパネルの画像選択画面の一例を示す図である。
【図９】第２タッチパネルのカレンダー一覧画面の一例を示す図である。
【図１０】同実施形態に係るカレンダー作成処理を説明するフローチャートである。
【図１１】変形例による画像プリント装置の概略斜視図である。
【発明を実施するための形態】
【００１２】
以下、本発明の実施の形態を図面に基づいて説明する。
【００１３】
図１は本実施形態による画像プリント装置のブロック構成図であり、図２は画像プリント装置の概略斜視図である。この画像プリント装置は、図３に示すような、日付や曜日等の玉部３１と、挿入画像部３２とを有するカレンダー画像を用紙Ｐにプリントして出力するものである。挿入画像部３２には、画像プリント装置に入力された利用者が有する画像データの画像が用いられる。
【００１４】
図１に示すように、画像プリント装置は、第１タッチパネル１０Ａ、第２タッチパネル１０Ｂ、データ入力部１１、課金部１２、プリンタ１３、ＣＰＵ（中央処理部）１４、ディスク装置（記憶部）１５、及びメインメモリ１６を有する。画像プリント装置の各部はバスを介して接続されている。
【００１５】
図２に示すように、第１タッチパネル１０Ａは筐体１の天板１Ａ部分に設けられ、第２タッチパネル１０Ｂは筐体１の上部に設けられている。第１タッチパネル１０Ａへの入力操作を行い易いように、天板１Ａ及び第１タッチパネル１０Ａの画面は、手前側が低く奥側が高くなるようにやや傾斜している。第２タッチパネル１０Ｂのディスプレイ画面は、略垂直に立った状態となっている。第１タッチパネル１０Ａと第２タッチパネル１０Ｂのディスプレイ画面は同程度の大きさとなっている。
【００１６】
第１タッチパネル１０Ａ及び第２タッチパネル１０Ｂは、画像を含む情報を表示したり、利用者から各種指示の入力を受け付けたりする。第１タッチパネル１０Ａは、画像プリント装置への画像データの入力方法（例えば、記憶媒体の使用、携帯端末からの赤外線通信、又はスマートフォンからの無線通信）選択画面、注意事項の表示画面、後述するカレンダーパターン選択画面（図５参照）、挿入画像部３２に用いる画像を選択する画像選択画面（図８参照）、注文内容や請求金額の確認画面等の基本操作画面を表示する。第２タッチパネル１０Ｂは、後述するカレンダー一覧画面（図６、７、９参照）を表示する。
【００１７】
データ入力部１１は、デジタルカメラ等で撮影した画像データが記憶された記憶媒体から画像データを読み取ることで、画像データの入力を受け付ける。データ入力部１１は、様々な記憶媒体に対応したデータ読取装置を有している。また、データ入力部１１は、赤外線通信又は無線通信により携帯端末から画像データの入力を受け付けることができる。図２に示すように、データ入力部１１は筐体１の上部、具体的には筐体１の天板１Ａと第２タッチパネル１０Ｂとの間に設けられている。
【００１８】
図２に示すように、課金部１２は、筐体１の前面側に設けられた硬貨投入口１２Ａ、紙幣投入口１２Ｂ、釣銭返却口１２Ｃを有し、硬貨投入口１２Ａ及び紙幣投入口１２Ｂから投入された貨幣を識別計数し、釣銭を釣銭返却口１２Ｃから放出する。また、課金部１２は、電子マネーによる決済機能を有していてもよい。また、課金部１２は、カレンダー作成部数、単価、請求金額、投入金額、釣銭額等をレシートに印字して出力するレシートプリンタを有していてもよい。
【００１９】
プリンタ１３は、昇華型又はインクジェット型などの高解像度カラープリンタであり、注文内容に基づいて、カレンダー画像を用紙にプリントして出力する。用紙サイズは例えば２Ｌ判である。プリンタ１３は筐体１内に収容されている。プリンタ１３は複数台設置されていてもよい。図２に示すように、筐体１の前面側には、透明な開閉扉２が開閉自在に設けられている。開閉扉２の裏面側には、プリンタ１３がプリント出力したプリント物が集積される集積部（図示せず）が設けられており、開閉扉２を開けると集積部に集積されたプリント物を取り出せるようになっている。
【００２０】
ディスク装置１５は、例えばハードディスクドライブであり、画像処理プログラム、制御プログラム、及びカレンダーフレームデータを格納する。カレンダーフレームデータは、図４（ａ）、（ｂ）に示すような、月日や曜日を示す玉部４１を有するカレンダーフレーム画像のデータである。図４（ａ）は玉部４１が１ヶ月分の日付を示し、図４（ｂ）は玉部４１が２ヶ月分の日付を示す。また、カレンダーフレームデータは、画像挿入領域４２の位置やサイズについての情報が含まれている。画像挿入領域４２の位置はカレンダーのデザインによって異なる。
【００２１】
ＣＰＵ１４は、ディスク装置１５内の画像処理プログラムをメインメモリ１６にロードして、画像処理プログラムを実行する。画像処理プログラムの実行に伴い、メインメモリ１６には、入力された画像データ、画像データを縮小したサムネイル画像用データ、カレンダーフレームデータ、画像が挿入されたカレンダーデータなどを格納する領域が確保される。
【００２２】
また、ＣＰＵ１４は、ディスク装置１５内の制御プログラムをメインメモリ１６にロードし、制御プログラムを実行することで、第１タッチパネル１０Ａ、第２タッチパネル１０Ｂ、課金部１２及びプリンタ１３を制御する制御部１４０として機能する。
【００２３】
制御部１４０は、データ入力部１１を介して記憶媒体や携帯端末から画像データが入力されると、図５に示すようなカレンダーパターン選択画面を第１タッチパネル１０Ａに表示する。カレンダーパターンには、例えば、１枚の用紙に１ヶ月分の日付が記載される１２枚組のカレンダー、１枚の用紙に２ヶ月分の日付が記載される６枚組のカレンダー、１枚の用紙に３ヶ月分の日付が記載される４枚組のカレンダー、１枚の用紙に６ヶ月分の日付が記載される２枚組のカレンダーなどがある。
【００２４】
利用者が第１タッチパネル１０Ａを操作してカレンダーパターンを選択すると、制御部１４０は、選択されたカレンダーパターンに対応するカレンダーフレームデータを用いて、第２タッチパネル１０Ｂにカレンダー画像を表示する。
【００２５】
例えば、１枚の用紙に１ヶ月分の日付が記載される１２枚組のカレンダーのカレンダーパターンが選択された場合、制御部１４０は、図４（ａ）に示すような玉部４１が１ヶ月分の日付を示すカレンダーフレームデータを１月〜１２月分までディスク装置１５から取り出し、図６に示すようにカレンダー画像４０を並べて表示する。
【００２６】
また、例えば、１枚の用紙に２ヶ月分の日付が記載される６枚組のカレンダーのカレンダーパターンが選択された場合、制御部１４０は、図４（ｂ）に示すような玉部４１が２ヶ月分の日付を示すカレンダーフレームデータを１・２月〜１１・１２月分までディスク装置１５から取り出し、図７に示すようにカレンダー画像４０を並べて表示する。
【００２７】
第２タッチパネル１０Ｂでは、カレンダー画像４０内に画像挿入領域４２が表示され、カレンダー内にどのように画像が挿入（配置）されるか分かりやすくなっている。
【００２８】
制御部１４０は、第２タッチパネル１０Ｂにカレンダー画像４０を表示するとともに、図８に示すように、画像データを縮小したサムネイル画像８０を第１タッチパネル１０Ａに表示する。データ入力部１１を介して入力された画像データの数が多く、１画面で表示しきれない場合は、ページ切替ボタン８１を押下（接触）してページを切り替える、またはスクロールバー８２を操作する、または第１タッチパネル１０Ａの画面上でフリック操作を行うことにより、全ての画像データについてのサムネイル画像８０を確認することができる。
【００２９】
図６に示すように、画像挿入対象月のカレンダー画像４０の画像挿入領域４２は枠６０で囲まれている。利用者が、第１タッチパネル１０Ａにおいてサムネイル画像８０を選択（押下）すると、制御部１４０は、画像挿入領域４２の位置やサイズの情報に基づいて、同一の画像を、枠６０で囲まれた画像挿入対象月の画像挿入領域４２に挿入して表示する。第１タッチパネル１０Ａの決定ボタン８３が押下されると、挿入画像が決定し、図９に示すように、画像挿入対象月が次の月に変わる。画像挿入対象月は、第２タッチパネル１０Ｂのカレンダー画像４０を押下することで変えることもできる。
【００３０】
第１タッチパネル１０Ａにおいて、画像挿入領域４２に挿入された画像に対応するサムネイル画像８０にチェックを付けるなどして、選択済みであることがわかるようにしてもよい。
【００３１】
第２タッチパネル１０Ｂに表示される全てのカレンダー画像４０の画像挿入領域４２に画像が挿入されると、第１タッチパネル１０Ａに画像選択完了を指示する完了ボタンが作成・表示される。この完了ボタンが押下されると、画像選択処理が終了する。
【００３２】
制御部１４０は、カレンダー画像に、利用者が選択した画像を挿入（合成）してカレンダー画像データを作成し、プリンタ１３へ出力する。プリンタ１３はカレンダー画像データを受け取ると、カレンダー画像を用紙にプリントして出力する。これにより、図３に示すような、それぞれ、玉部３１及び挿入画像部３２を含むカレンダー画像がプリントされた、複数の用紙Ｐを１組とするカレンダーが作成される。
【００３３】
本実施形態による画像プリント装置は、第２タッチパネル１０Ｂにカレンダー画像４０の一覧を表示し、第１タッチパネル１０Ａに入力された画像データのサムネイル画像８０を表示する。そして、サムネイル画像８０が選択されると、選択された画像を第２タッチパネル１０Ｂのカレンダー画像４０の画像挿入領域４２に挿入して表示する。このように、第２タッチパネル１０Ｂにおいてカレンダーの完成イメージを確認しながら、第１タッチパネル１０Ａで挿入画像を選択できるため、カレンダー作成の操作が容易である。
【００３４】
次に、図１０に示すフローチャートを用いて、本実施形態に係るカレンダー作成処理の流れを説明する。
【００３５】
（ステップＳ１０１）データ入力部１１が画像データの入力を受け付ける。
【００３６】
（ステップＳ１０２）制御部１４０が、第１タッチパネル１０Ａにカレンダーパターン選択画面を表示する。利用者は、第１タッチパネル１０Ａを操作して、所望のカレンダーパターンを選択する。例えば、１枚の用紙に１ヶ月分の日付が記載される１２枚組のカレンダーを選択する。
【００３７】
（ステップＳ１０３）制御部１４０が、ステップＳ１０１で入力された画像データを縮小したサムネイル画像８０を、第１タッチパネル１０Ａのディスプレイに表示する。また、制御部１４０が、ステップＳ１０２で選択されたカレンダーパターンに対応するカレンダーフレームデータを用いて、第２タッチパネル１０Ｂのディスプレイにカレンダー画像を表示する。例えば、１月〜１２月までの各月に対応した１２個のカレンダー画像が第２タッチパネル１０Ｂに表示される。
【００３８】
（ステップＳ１０４）画像挿入領域４２に画像を挿入する画像挿入対象月を選択する。利用者が、第２タッチパネル１０Ｂ上のカレンダー画像４０を押下することで、画像挿入対象月を選択することができる。
【００３９】
（ステップＳ１０５）利用者が、第１タッチパネル１０Ａにおいて、画像挿入領域４２に挿入する画像（サムネイル画像８０）を選択する。
【００４０】
（ステップＳ１０６）制御部１４０が、ステップＳ１０５で選択された画像の画像データのサイズを適宜変換し、画像挿入対象月の画像挿入領域４２に選択画像を挿入（合成）する。第２タッチパネル１０Ｂは、カレンダー画像４０に選択画像が挿入されたカレンダー画像を表示する。
【００４１】
（ステップＳ１０７）利用者は、第２タッチパネル１０Ｂに表示されたカレンダー画像（完成イメージ）を確認し、挿入画像を確定する場合はステップＳ１０８へ進む。挿入画像を変更する場合は、ステップＳ１０５に戻り、挿入する画像（サムネイル画像８０）を再選択する。
【００４２】
（ステップＳ１０８）利用者が、第１タッチパネル１０Ａの決定ボタン８３を押下する。決定ボタン８３を押下すると、画像挿入対象月が次の月へ自動的に変更される。
【００４３】
（ステップＳ１０９）全てのカレンダー画像４０の画像挿入領域４２に画像を挿入し、注文が完了した場合は第１タッチパネル１０Ａの完了ボタンを押下する。画像未挿入のカレンダー画像４０がある場合は、ステップＳ１０４に戻る。また、挿入画像を変更したいカレンダー画像がある場合も、ステップＳ１０４に戻る。
【００４４】
（ステップＳ１１０）利用者からの注文内容に基づく請求金額が第１タッチパネル１０Ａに表示される。ステップＳ１０２で選択したカレンダーパターンや、用紙サイズによって請求金額が決定する。利用者が貨幣を投入すると、課金部１２は投入された貨幣を計数し、釣銭の出金やレシートの印字等を行う。
【００４５】
（ステップＳ１１１）制御部１４０が、カレンダー画像に、利用者が選択した画像を挿入（合成）してカレンダー画像データを作成し、プリンタ１３へ出力する。プリンタ１３が、制御部１４０からの指示に基づいてカレンダー画像を用紙にプリントして出力する。
【００４６】
以上のように、本実施形態による画像プリント装置は、カレンダー画像４０の一覧と、入力された画像データのサムネイル画像８０とを異なるタッチパネルに表示するため、カレンダー画像４０に選択画像が挿入された完成イメージを確認しながら、挿入するサムネイル画像８０の選択を行うことができる。そのため、画面の切り替えなどが少なくて済み、選択画像が挿入された複数のプリント物を１組にしたカレンダーという付加価値の高い製品を簡易な操作で作成できる。
【００４７】
上記実施形態では、筐体１内にプリンタ１３を備え、その場でカレンダーを出力する画像プリント装置について説明したが、プリンタ１３を省略し、カレンダー作成注文の受け付けを行う注文受付端末としてもよい。この場合、注文受付端末には、カレンダー画像に利用者の選択画像が挿入（合成）されたカレンダー画像データを、有線又は無線ネットワークを介してプリンタサーバへ送信する通信部が設けられる。利用者は郵送等によってプリント物（カレンダー）を受け取る。
【００４８】
上記実施形態において、画像挿入対象月の選択に伴い、制御部１４０が、入力された画像データの撮影日時情報をもとに、画像挿入対象月と撮影月が同じサムネイル画像８０を第１タッチパネル１０Ａに表示するようにしてもよい。例えば、画像挿入対象月が１０月であった場合、制御部１４０は、１０月に撮影された画像データを縮小したサムネイル画像８０を第１タッチパネル１０Ａに表示する。また、１枚の用紙に２ヶ月分の日付が記載されるカレンダーであり、画像挿入対象月が３月・４月であった場合、制御部１４０は、３月及び４月に撮影された画像データを縮小したサムネイル画像８０を第１タッチパネル１０Ａに表示する。
【００４９】
画像挿入対象月の選択に伴い第１タッチパネル１０Ａに表示するサムネイル画像８０は、撮影月が画像挿入対象月と同じものだけでなく、その前後所定範囲の画像について表示してもよい。例えば所定範囲が前後１ヶ月であり、画像挿入対象月が８月であった場合、制御部１４０は、７〜９月に撮影された画像データを縮小したサムネイル画像８０を第１タッチパネル１０Ａに表示する。また、１枚の用紙に３ヶ月分の日付が記載されるカレンダーであり、画像挿入対象月が７〜９月、所定範囲が前後１ヶ月である場合、制御部１４０は、６〜１０月に撮影された画像データを縮小したサムネイル画像８０を第１タッチパネル１０Ａに表示する。第１タッチパネル１０Ａに表示するサムネイル画像８０の撮影月の範囲（画像挿入対象月に前後する範囲）は利用者が設定できるようにしてもよい。
【００５０】
このように、画像挿入対象月に連動させて第１タッチパネル１０Ａに表示されるサムネイル画像８０を絞り込むことで、カレンダーの日付と同時期の画像を選択しやすくなり、カレンダー作成の操作がさらに容易になる。
【００５１】
上記実施形態では、カレンダーパターンとして、１枚の用紙に１ヶ月分の日付が記載される１２枚組のカレンダーや、１枚の用紙に２ヶ月分の日付が記載される６枚組のカレンダーなど、１年分のカレンダーとなるカレンダーパターンについて説明したが、期間や、１枚の用紙に何ヶ月分の日付を記載するかなど、自由に選択できるようにしてもよい。
【００５２】
カレンダーパターンは、玉部を有するカレンダー画像だけでなく、さらに表紙が付いたものであってもよい。
【００５３】
上記実施形態では、複数のプリント物を１組にしたカレンダーを作成する例について説明したが、カレンダーに限定されず、トランプ等の、複数のプリント物が一組として機能する物品を作成することができる。トランプの場合、キング、クイーン、ジャック、ジョーカーなどの絵札についてのみ選択画像を挿入するものであってもよい。
【００５４】
上記実施形態では、第１タッチパネル１０Ａ及び第２タッチパネル１０Ｂの上下に配置された２つのタッチパネルを備える構成について説明したが、１つの大型タッチパネルの表示領域を上下に二分し、下側を第１タッチパネル１０Ａ、上側を第２タッチパネル１０Ｂのように機能させてもよい。例えば、図１１に示すように、筐体１の上部から利用者の手元側まで延びる天板１Ｂの平坦な傾斜面に大型のタッチパネル１０Ｃを設け、タッチパネル１０Ｃの上側と下側とを個別に表示制御する。この場合、データ入力部１１は、例えば筐体１の前面側に設けられる。また、横長の大型タッチパネルの表示領域を左右に二分し、一方を第１タッチパネル１０Ａ、他方を第２タッチパネル１０Ｂのように機能させてもよい。
【００５５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５６】
１  筐体
１Ａ  天板
２  開閉扉
１０Ａ  第１タッチパネル
１０Ｂ  第２タッチパネル
１１  データ入力部
１２  課金部
１３  プリンタ
１４  ＣＰＵ
１５  ディスク装置
１６  メインメモリ
３１、４１  玉部
３２  挿入画像部
４０  カレンダー画像
４２  画像挿入領域
８０  サムネイル画像
【図１】
0006331782.tif 000002
【図２】
0006331782.tif 000003
【図３】
0006331782.tif 000004
【図４】
0006331782.tif 000005
【図５】
0006331782.tif 000006
【図６】
0006331782.tif 000007
【図７】
0006331782.tif 000008
【図８】
0006331782.tif 000009
【図９】
0006331782.tif 000010
【図１０】
0006331782.tif 000011
【図１１】
0006331782.tif 000012